(57)【要約】【課題】本考案は独自の曲面を持つ３種のレンガを使用して、レンガに研磨及び切断などの加工をすることなく、水平方向と垂直方向に連続するなだらかな曲面を持つレンガ積構造物の構築を可能にする。美観の面で優れた多様な表現を実現可能にし、材料と労力のロスを防ぎ廃棄物を削減し、転倒強度の強いレンガ積構造物を構築する。【解決手段】本考案の曲りレンガＳ型、Ｒ型、半Ｒ型、の３種の曲面を持つレンガを水平方向と垂直方向へ特定の向きで組み合わせると、それぞれの側面曲面部が水平方向にも垂直方向にも突出することなく連続するなだらかな曲面を造型する。側面部に連続するなだらかな曲面部を持つレンガ積構造物を構築する場合に従来のレンガでは、レンガの研磨や切断、目地を広く取って位置ずらすなどの不完全な方法で美観を損なっていた。本考案のレンガではその作業が不要になり、美観の面で優れた多様な表現が高い自由度で容易に可能になった。【選択図】  図４
0003112351.tif 000002
【実用新案登録請求の範囲】
【請求項１】
レンガの立方体６面のうち、最大面積を有する並行する２側面部にそれぞれS字曲面とC字曲面を有する３種類レンガの互いの端部平面をつき合わせ、この３種類のレンガの水平方向と垂直方向の組み合わせにより、レンガ切断用の特殊工具を使うことなく、目地のずれなどの矛盾無く円や波型などの連続するなだらかな曲面を高い自由度で造型することを特徴としたＳ型、Ｒ型、半Ｒ型、のレンガ積構造物構築用曲りレンガ。
【考案の詳細な説明】
【技術分野】
【０００１】
本考案は独自の曲面形状を有する、Ｓ型、Ｒ型、半Ｒ型、の曲りレンガに関するものである。
【背景技術】
【０００２】
レンガで花壇や塀などのレンガ積構造物を作る場合、従来は平坦な直線の連続や、レンガの凹凸が可視部側面に張り出てしまい、なだらかな曲面を形成する必要がある時はレンガ切断用の特殊工具などで加工していた。
【特許文献１】特開２０００−１０６７５４（Ｐ２０００−１０６７５４Ａ）
【考案の開示】
【考案が解決しようとする課題】
【０００３】
従来のレンガ積で側面部に曲面を有するレンガ構築物を作る場合は、平面や円柱などの形状のレンガをついで、それぞれの位置と角度をずらすなどで仮に対応していた。この方式の欠点は平面の立方体レンガの場合は、曲面を作るためにレンガを同士の位置をずらせながら配置するため、つき合わせたレンガ端部間の目地が不自然な角度で広く開いてしまい、著しく美観を損なう。また、平面の連続配置であるため、なだらかな連続した曲面を作ることは出来ないので全体に平面な印象を与える。
【０００４】
平面の立方体レンガを特殊工具で切断して従来のサイズより小型にすることで比較的平面の印象を少なくすることが出来るが、このやり方でもなだらかな曲面は作れない。しかも、レンガが小型化したことで目地数が増えてしまう。結果として美観が損なわれレンガ積の労力が大きくなり、レンガ加工により材料のロスと廃棄物が生じる。
【０００５】
上記の特許文献１特開２０００−１０６７５４（Ｐ２０００−１０６７５４Ａ）のブロックでは、同一形状の仮想円柱体を組み合わせることで、外観のデザインの自由度が大きく歪な突出のないブロック積み上げ方法を提供している。しかし、このブロックを積み上げた場合、積み上げられた上下左右のブロックの連結部分で不自然に大きなくぼみが必ず出来る。そのことがデザイン上の制約となり美観を損なっている。このくぼみ部分にごみやほこりがたまりやすいという欠点もある。同ブロックは各側面が曲面になっているが、この曲面はそれぞれのブロック単体で完結しているので、同ブロックを積み上げることだけでは連続したなだらかな曲面を作ることは出来ない。
【０００６】
それに対して、本考案の曲りレンガＳ型、Ｒ型、半Ｒ型はその組み合わせにより、凹凸のないなだらかな曲面を自在にデザインすることが出来、これにより、さらに外観の自由度の高いレンガ積構造物を構築することが可能になった。
【課題を解決するための手段】
【０００７】
本考案はレンガの立方体６面のうち、最大面積を有する並行する２側面部にそれぞれＳ字曲面とＣ字曲面を有する３種類レンガである、曲がりレンガＳ型、Ｒ型、半Ｒ型、の端部を交互に組み合わせるものである。レンガ側面のカーブ方向をどの向きにしても、レンガ端部をつき合わせたときに側面部は必ず連続したなだらかな曲面になる。
以上のレンガ積のバリエーションにより問題を解決した。
【考案の効果】
【０００８】
曲りレンガＳ型、Ｒ型、半Ｒ型、の各レンガの組み合わせにより自由な曲面のレンガ積構造物を容易に構築することが出来る。従来技術ではなだらかな曲面を持つレンガ積構造物の設計が困難で、その実現に大きな労力を必要とするものであったが、本考案によりレンガ積のバリエーションを組み替えるだけで、複雑な設計と加工をせずにレンガによるなだらかな曲面のレンガ積構造物の構築が高い自由度で可能になった。
【０００９】
例えば曲りレンガＳ型、Ｒ型、半Ｒ型、を使って花壇や塀を作ると、図４、図５、のような曲面を持つ花壇や塀を自在に作ることが出来る。大小の曲面の連続により、雲のような輪郭の花壇を作ることも出来るし、円柱状の鉢台を作ることもできる。高く円形に積んで独自のデザインの門柱や外壁を作ることも容易に出来る。
【００１０】
しかも、本考案のレンガを使用したレンガ積構造物は波型や円などの曲面を持つ形状で構築されるため転倒強度が強い。また、レンガを加工せずになだらかな曲面を持つレンガ積構造物を構築することにより、通常の加工によって生じる材料のロスと廃棄物を軽減することができる。  
【考案を実施するための最良の形態】
【００１１】
Ｒ型レンガを同方向カーブで連続してつき合わせる場合は図５のように６個で円型になる。Ｒ型レンガを互い違いの方向に連続してつき合わせていくと図４のように波型になる。図１のＳ型レンガは図２のＲ型レンガよりカーブの角度がゆるいので、Ｒ型レンガ図２の次にＳ型レンガ図１を付き合わせることでＲ型レンガ図１のみを連続して使うよりなだらかな曲面でカーブ方向を変えることが出来る。
【００１２】
図４にあるように曲りレンガを２段以上上方向に高くつぐ場合は下段と上段で交互にレンガを半分ずらしてついで行く必要がある。下段でＲ型レンガを逆の向きで波型につき合わせた連結部２ａ、２ｂ、の真上にＳ型レンガ１をつぐことで上段と下段の曲面を矛盾無く連続することが出来る。２段以上高く積んだレンガ積構造物をある特定位置を区切りとして水平方向へ継ぐことを止めた場合、その終点端部から垂直方向へは交互にずらして積んだ上下のレンガが凹凸で連続することになるが、これも図４の３ａ、３ｂにあるように、この凹部にＲ型レンガの通常の半分のサイズである曲りレンガ半Ｒ型をつぐことで、特殊工具などでレンガを切断することなくレンガ積構造物の端部を垂直方向に直線状についで行くことができる。
【実施例】
【００１３】
以下、添付図面に従って一実施例を説明する。図４の「曲りレンガＳ型、Ｒ型、半Ｒ型、使用時上面図」は本考案の曲りレンガ３種を組み合わせて、水平方向と垂直方向にレンガ積構造物を構築したときの一例を上方から見おろした時の図である。この図でレンガ積構造物の側面はなだらかな連続した曲面としてつながる。図４の「曲りレンガＳ型、Ｒ型、半Ｒ型、使用時側面図」は上記レンガ積構造物を側面かが見たときの図である。図４の図中に表記のある番号とアルファベットは図１、図２、図３、のそれぞれの曲りレンガに図示された番号とアルファベットに対応している。図１、図２、図３、の番号とアルファベットに対応したレンガの曲面部を図４の「曲りレンガＳ型、Ｒ型、半Ｒ型、使用時側面図」に図示された番号とアルファベットのように配置することにより、図４の「曲りレンガＳ型、Ｒ型、半Ｒ型、使用時上面図」にあるなだらかな曲面でレンガ積構造物の構築が出来る。
【００１４】
図５の「曲りレンガＲ型使用時上面図は、曲りレンガＲ型のカーブ方向を同一向きにて水平方向に連続して６個を継いだものを上方向から見た図である。この図でレンガ積構造物は円形となる。図５の「曲りレンガＲ型使用時側面図」は上記レンガ積構造物を側面から見た図である。図５の図中にある番号とアルファベットは図２にある曲りレンガＲ型に図示された番号とアルファベットに対応している。図２にある番号とアルファベットに対応したレンガの曲面部を図５の「曲りレンガＲ型使用時側面図」に図示された番号とアルファベットのように配置することにより、図５の「曲りレンガＲ型使用時上面図」にあるなだらかな連続した曲面でレンガ積構造物が構築できる。
【図面の簡単な説明】
【００１５】
【図１】本考案の曲りレンガＳ型を上面、下面、側面、から見た図。
【図２】本考案の曲りレンガＲ型を上面、下面、側面、から見た図。
【図３】本考案の曲りレンガ半Ｒ型を上面、下面、側面、から見た図。
【図４】本考案の曲りレンガＳ型、Ｒ型、半Ｒ型、の一実施例を示す上面図と側面図。
【図５】本考案の曲りレンガＲ型の一実施例を示す上面図と側面図。
【符号の説明】
【００１６】
１    曲りレンガＳ型側面部
２ａ  曲りレンガＲ型大カーブ側面
２ｂ  曲りレンガＲ型小カーブ側面
３ａ  曲りレンガ半Ｒ型大カーブ側面
３ｂ  曲りレンガ半Ｒ型小カーブ側面
４    曲りレンガ端部接続面
５    曲りレンガ上面及び下面図
【図１】
0003112351.tif 000003
【図２】
0003112351.tif 000004
【図３】
0003112351.tif 000005
【図４】
0003112351.tif 000006
【図５】
0003112351.tif 000007